(57)【要約】【課題】  建築物を構成する部品のレイアウト模型を用いて具体的なレイアウトイメージを確認するとともに、このレイアウト模型からレイアウト図面を作成するための画像データを生成する。【解決手段】  デッサンボード２０は、任意のレイアウト部品１０−１〜ｎが配置されるレイアウト部品配置部と、レイアウト部品配置部に配置されたレイアウト部品１０−１〜ｎから読み出した部品識別情報と、該レイアウト部品が配置されている位置情報を画像データ生成装置３０へ送信する配置読取部とを備える。画像データ生成装置３０は、物品に対応した画像データを記憶する記憶部と、受信した部品識別情報を基に、対応する物品の画像データを記憶部から読み出すレイアウト部品データ読出部と、読み出した画像データを、受信した位置情報に対応して配置したレイアウト画像データを生成するレイアウト画像データ生成部とを備える。【選択図】    図１
2005275895.tif 000002
【特許請求の範囲】
【請求項１】
建築物を構成する物品あるいは建築物内外に配置される物品に対応した画像データを記憶する記憶部と、
物品に対応したレイアウト部品が配置されるレイアウト部品配置部と、
前記レイアウト部品配置部に配置された前記レイアウト部品から、該レイアウト部品を識別する部品識別情報を読み込むとともに、該レイアウト部品が配置されている位置を示す位置情報を取得する配置読取部と、
前記配置読取部が読み取った部品識別情報を基に、対応する物品の画像データを前記記憶部から読み出すレイアウト部品データ読出部と、
前記レイアウト部品データ読出部が読み出した画像データを、前記配置読取部が取得した位置情報に対応して配置したレイアウト画像データを生成するレイアウト画像データ生成部と、
を備えることを特徴とするマテリアル自動配置システム。
【請求項２】
前記配置読取部は、前記レイアウト部品から該レイアウト部品の配置の方向を示す配置方向識別を読み込み、該配置方向識別を読み込んだ位置により位置情報を取得する、
ことを特徴とする請求項１に記載のマテリアル自動配置システム。
【請求項３】
建築物を構成する物品あるいは建築物内外に配置される物品に対応したレイアウト部品の配置を読み込むデッサンボードと、レイアウト画像データを生成する画像データ生成装置とからなるマテリアル自動配置システムであって、
前記デッサンボードは、
前記レイアウト部品が配置されるレイアウト部品配置部と、
前記レイアウト部品配置部に配置された前記レイアウト部品から、該レイアウト部品を識別する部品識別情報を読み込むとともに、該レイアウト部品が配置されている位置を示す位置情報を取得して前記画像データ生成装置へ送信する配置読取部とを備え、
前記画像データ生成装置は、
物品に対応した画像データを記憶する記憶部と、
前記デッサンボードから受信した部品識別情報を基に、対応する物品の画像データを前記記憶部から読み出すレイアウト部品データ読出部と、
前記レイアウト部品データ読出部が読み出した画像データを、前記デッサンボードから受信した位置情報に対応して配置したレイアウト画像データを生成するレイアウト画像データ生成部とを備える、
ことを特徴とするマテリアル自動配置システム。
【請求項４】
建築物を構成する物品あるいは建築物内外に配置される物品に対応したレイアウト部品の配置を読み込むデッサンボードと、レイアウト画像データを生成する画像データ生成装置とからなるマテリアル自動配置システムに用いられるデッサンボードであって、
前記レイアウト部品が配置されるレイアウト部品配置部と、
前記レイアウト部品配置部に配置された前記レイアウト部品から、該レイアウト部品を識別する部品識別情報を読み込むとともに、該レイアウト部品が配置されている位置を示す位置情報を取得して前記画像データ生成装置へ送信する配置読取部と、
を備えることを特徴とするデッサンボード。
【請求項５】
建築物を構成する物品あるいは建築物内外に配置される物品に対応したレイアウト部品の配置を読み込むデッサンボードと、レイアウト画像データを生成する画像データ生成装置とからなるマテリアル自動配置システムに用いられる画像データ生成装置であって、
物品に対応した画像データを記憶する記憶部と、
前記レイアウト部品を識別する部品識別情報と該レイアウト部品が配置されている位置を示す位置情報とを前記デッサンボードから受信し、該部品識別情報を基に、対応する物品の画像データを前記記憶部から読み出すレイアウト部品データ読出部と、
前記レイアウト部品データ読出部が読み出した画像データを、受信した前記位置情報に対応して配置したレイアウト画像データを生成するレイアウト画像データ生成部と、
を備えることを特徴とする画像データ生成装置。
【請求項６】
建築物を構成する物品あるいは建築物内外に配置される物品に対応したレイアウト部品の配置から、レイアウト画像データを生成するマテリアル自動配置システムに用いられるマテリアル自動配置方法であって、
建築物を構成する物品あるいは建築物内外に配置される物品に対応した画像データを記憶する記憶部を用意し、
レイアウト部品配置部に配置された前記レイアウト部品から、該レイアウト部品を識別する部品識別情報を読み込むとともに、該レイアウト部品が配置されている位置を示す位置情報を取得し、
読み取った前記部品識別情報を基に、対応する物品の画像データを前記記憶部から読み出し、
読み出した前記画像データを、前記位置情報に対応して配置したレイアウト画像データを生成する、
ことを特徴とするマテリアル自動配置方法。
【請求項７】
建築物を構成する物品あるいは建築物内外に配置される物品に対応したレイアウト部品の配置から、レイアウト画像データを生成するマテリアル自動配置システムに用いられるコンピュータプログラムであって、
レイアウト部品配置部に配置された前記レイアウト部品から、該レイアウト部品を識別する部品識別情報を読み込むとともに、該レイアウト部品が配置されている位置を示す位置情報を取得するステップと、
物品に対応した画像データを記憶する記憶部から、読み取った部品識別情報が示すレイアウト部品に対応する物品の画像データを読み出すステップと、
読み出した画像データを、前記位置情報に対応して配置したレイアウト画像データを生成するステップと、
をコンピュータに実行させることを特徴とするコンピュータプログラム。
【請求項８】
建築物を構成する物品あるいは建築物内外に配置される物品に対応したレイアウト部品の配置を読み込むデッサンボードと、レイアウト画像データを生成する画像データ生成装置とからなるマテリアル自動配置システムに用いられるデッサンボードに用いられるコンピュータプログラムであって、
レイアウト部品配置部に配置された前記レイアウト部品から、該レイアウト部品を識別する部品識別情報を読み込むとともに、該レイアウト部品が配置されている位置を示す位置情報を取得するステップと、
前記部品識別情報と前記位置情報とを前記画像データ生成装置へ送信するステップと、
をコンピュータに実行させることを特徴とするコンピュータプログラム。
【請求項９】
建築物を構成する物品あるいは建築物内外に配置される物品に対応したレイアウト部品の配置を読み込むデッサンボードと、レイアウト画像データを生成する画像データ生成装置とからなるマテリアル自動配置システムに用いられる画像データ生成装置のコンピュータプログラムであって、
物品に対応した画像データを記憶する記憶部と、
前記デッサンボードから、前記レイアウト部品を識別する部品識別情報と、該レイアウト部品が配置されている位置を示す位置情報とを受信するステップと、
物品に対応した画像データを記憶する記憶部から、前記部品識別情報が示すレイアウト部品に対応する物品の画像データを読み出すステップと、
読み出した画像データを、前記位置情報に対応して配置したレイアウト画像データを生成するステップと、
をコンピュータに実行させることを特徴とするコンピュータプログラム。
【発明の詳細な説明】
【技術分野】
【０００１】
本発明は、マテリアル自動配置システム、デッサンボード、画像データ生成装置、マテリアル自動配置方法、及び、コンピュータプログラムに関する。
【背景技術】
【０００２】
従来、建築業者では、営業担当が顧客と打ち合わせを行い、模型を使用したり、簡易なイメージ図を作成したりしながら、受注する建築物の間取り（レイアウト）を決定している。そして、営業担当の作成したこの打ち合わせ結果のメモなどを参考にして、図面作成担当者がＣＡＤなどによりレイアウト図面を作成している。
【０００３】
また、特許文献１には、スキャナで入力した画像データを電子メールに容易に添付し、管理を容易にする画像処理装置について記載されている。具体的には、外部端末からの電子メールのヘッダー情報に基づき、画像処理装置内の送信ボックスへ送信先情報を割り当て、スキャンした画像データを送信ボックスに関連づけて格納する。その後、送信先情報に基づき、画像データを送信電子メールに添付して送信先に送信する。
【特許文献１】特開２００２−３００３６２号公報
【発明の開示】
【発明が解決しようとする課題】
【０００４】
上述したように、建築物の間取りについて営業担当者と顧客が打ち合わせを行うときには、打ち合わせ時に使用した模型や図面により、かなりの部分のレイアウトイメージが決定してしまっている。しかし、レイアウト図面の作成にあたっては、人手により一から図面を作成しなければならず、これは、人的リソース及び作業時間を要する煩雑な作業であった。しかし、特許文献１は、スキャンした画像データを他の端末に送信することはできるが、このデータは、各レイアウト部品に対応する画像データの組み合わせで構成されるレイアウト画像、あるいは、直線、多角形、円などの基本的な図形から構成されるレイアウト画像ではないため、受信した画像データを基にレイアウト図面を作成することはできず、上述する問題を解決するものではない。
【０００５】
この発明は、このような事情を考慮してなされたもので、その目的は、建築物を構成する部品のレイアウト模型を用いて具体的なレイアウトイメージを確認するとともに、このレイアウト模型からレイアウト図面を作成するための画像データを生成することができるマテリアル自動配置システム、デッサンボード、画像データ生成装置、マテリアル自動配置方法、及び、コンピュータプログラムを提供することにある。
【課題を解決するための手段】
【０００６】
上記目的を達成するために、本発明は、建築物を構成する物品あるいは建築物内外に配置される物品に対応した画像データを記憶する記憶部と、物品に対応したレイアウト部品が配置されるレイアウト部品配置部と、前記レイアウト部品配置部に配置された前記レイアウト部品から、該レイアウト部品を識別する部品識別情報を読み込むとともに、該レイアウト部品が配置されている位置を示す位置情報を取得する配置読取部と、前記配置読取部が読み取った部品識別情報を基に、対応する物品の画像データを前記記憶部から読み出すレイアウト部品データ読出部と、前記レイアウト部品データ読出部が読み出した画像データを、前記配置読取部が取得した位置情報に対応して配置したレイアウト画像データを生成するレイアウト画像データ生成部と、を備えることを特徴とするマテリアル自動配置システムである。
【０００７】
また、本発明は、上記マテリアル自動配置システムにおいて、前記配置読取部は、前記レイアウト部品から該レイアウト部品の配置の方向を示す配置方向識別を読み込み、該配置方向識別を読み込んだ位置により位置情報を取得する、ことを特徴とする。
【０００８】
また、本発明は、建築物を構成する物品あるいは建築物内外に配置される物品に対応したレイアウト部品の配置を読み込むデッサンボードと、レイアウト画像データを生成する画像データ生成装置とからなるマテリアル自動配置システムであって、前記デッサンボードは、前記レイアウト部品が配置されるレイアウト部品配置部と、前記レイアウト部品配置部に配置された前記レイアウト部品から、該レイアウト部品を識別する部品識別情報を読み込むとともに、該レイアウト部品が配置されている位置を示す位置情報を取得して前記画像データ生成装置へ送信する配置読取部とを備え、前記画像データ生成装置は、物品に対応した画像データを記憶する記憶部と、前記デッサンボードから受信した部品識別情報を基に、対応する物品の画像データを前記記憶部から読み出すレイアウト部品データ読出部と、前記レイアウト部品データ読出部が読み出した画像データを、前記デッサンボードから受信した位置情報に対応して配置したレイアウト画像データを生成するレイアウト画像データ生成部とを備える、ことを特徴とするマテリアル自動配置システムである。
【０００９】
また、本発明は、建築物を構成する物品あるいは建築物内外に配置される物品に対応したレイアウト部品の配置を読み込むデッサンボードと、レイアウト画像データを生成する画像データ生成装置とからなるマテリアル自動配置システムに用いられるデッサンボードであって、前記レイアウト部品が配置されるレイアウト部品配置部と、前記レイアウト部品配置部に配置された前記レイアウト部品から、該レイアウト部品を識別する部品識別情報を読み込むとともに、該レイアウト部品が配置されている位置を示す位置情報を取得して前記画像データ生成装置へ送信する配置読取部と、を備えることを特徴とするデッサンボードである。
【００１０】
また、本発明は、建築物を構成する物品あるいは建築物内外に配置される物品に対応したレイアウト部品の配置を読み込むデッサンボードと、レイアウト画像データを生成する画像データ生成装置とからなるマテリアル自動配置システムに用いられる画像データ生成装置であって、物品に対応した画像データを記憶する記憶部と、前記レイアウト部品を識別する部品識別情報と該レイアウト部品が配置されている位置を示す位置情報とを前記デッサンボードから受信し、該部品識別情報を基に、対応する物品の画像データを前記記憶部から読み出すレイアウト部品データ読出部と、前記レイアウト部品データ読出部が読み出した画像データを、受信した前記位置情報に対応して配置したレイアウト画像データを生成するレイアウト画像データ生成部と、を備えることを特徴とする画像データ生成装置である。
【００１１】
また、本発明は、建築物を構成する物品あるいは建築物内外に配置される物品に対応したレイアウト部品の配置から、レイアウト画像データを生成するマテリアル自動配置システムに用いられるマテリアル自動配置方法であって、建築物を構成する物品あるいは建築物内外に配置される物品に対応した画像データを記憶する記憶部を用意し、レイアウト部品配置部に配置された前記レイアウト部品から、該レイアウト部品を識別する部品識別情報を読み込むとともに、該レイアウト部品が配置されている位置を示す位置情報を取得し、読み取った前記部品識別情報を基に、対応する物品の画像データを前記記憶部から読み出し、読み出した前記画像データを、前記位置情報に対応して配置したレイアウト画像データを生成する、ことを特徴とするマテリアル自動配置方法である。
【００１２】
また、本発明は、建築物を構成する物品あるいは建築物内外に配置される物品に対応したレイアウト部品の配置から、レイアウト画像データを生成するマテリアル自動配置システムに用いられるコンピュータプログラムであって、レイアウト部品配置部に配置された前記レイアウト部品から、該レイアウト部品を識別する部品識別情報を読み込むとともに、該レイアウト部品が配置されている位置を示す位置情報を取得するステップと、物品に対応した画像データを記憶する記憶部から、読み取った部品識別情報が示すレイアウト部品に対応する物品の画像データを読み出すステップと、読み出した画像データを、前記位置情報に対応して配置したレイアウト画像データを生成するステップと、をコンピュータに実行させることを特徴とするコンピュータプログラムである。
【００１３】
また、本発明は、建築物を構成する物品あるいは建築物内外に配置される物品に対応したレイアウト部品の配置を読み込むデッサンボードと、レイアウト画像データを生成する画像データ生成装置とからなるマテリアル自動配置システムに用いられるデッサンボードに用いられるコンピュータプログラムであって、レイアウト部品配置部に配置された前記レイアウト部品から、該レイアウト部品を識別する部品識別情報を読み込むとともに、該レイアウト部品が配置されている位置を示す位置情報を取得するステップと、前記部品識別情報と前記位置情報とを前記画像データ生成装置へ送信するステップと、をコンピュータに実行させることを特徴とするコンピュータプログラムである。
【００１４】
また、本発明は、レイアウト部品の配置を読み込むデッサンボードと、レイアウト画像データを生成する画像データ生成装置とからなるマテリアル自動配置システムに用いられる画像データ生成装置のコンピュータプログラムであって、物品に対応した画像データを記憶する記憶部と、前記デッサンボードから、前記レイアウト部品を識別する部品識別情報と、該レイアウト部品が配置されている位置を示す位置情報とを受信するステップと、物品に対応した画像データを記憶する記憶部から、前記部品識別情報が示すレイアウト部品に対応する物品の画像データを読み出すステップと、読み出した画像データを、前記位置情報に対応して配置したレイアウト画像データを生成するステップと、をコンピュータに実行させることを特徴とするコンピュータプログラムである。
【発明の効果】
【００１５】
上記発明によれば、建築業者などが顧客と建築物を構成する部品のレイアウト模型を用いて具体的なレイアウトイメージを確認し、この各レイアウト模型の配置を基にレイアウト図面を作成するための画像データを生成することができる。これにより、建築物等のレイアウト図面作成における負担を軽減するとももに、打ち合わせ時の内容に対して間違いが少ないレイアウト図面を生成することができる。
【発明を実施するための最良の形態】
【００１６】
以下、図面を参照し、この発明の実施の形態について説明する。図１は、この発明の一実施の形態によるマテリアル自動配置システムの概要図である。
マテリアル自動配置システムは、自身の上部に配置された、建築物を構成する物品あるいは建築物内外に配置される物品に対応するレイアウト部品１０−１〜ｎ（以下、レイアウト部品１０）のレイアウトを読み込むデッサンボード２０と、デッサンボード２０から受信したレイアウト部品１０のレイアウトの情報からレイアウト画像データを生成する画像データ生成装置３０とからなる。
【００１７】
レイアウト部品１０−１〜ｎはそれぞれ、例えば、ソファなどの家具、電化製品、壁やドア、部屋などの建築部品、洗面台や浴槽、ボイラー、ポンプなどの設備、庭木、門等の各物品に対応した紙やプラスチック、木などにより作成された部品（模型）である。レイアウト部品１０は、対応する実際の物品を一定の縮尺により縮小した形状であるか、あるいは、各レイアウト部品１０の上部から投影したときの形状が、対応する実際の物品の上部から投影したときの形状を一定の縮尺により縮小した形状であるとする。レイアウト部品１０の底部には、各レイアウト部品１０を識別するための部品識別１１、及び、レイアウト部品１０の配置方向を識別するための配置方向識別１２が付されている。この部品識別１１及び配置方向識別１２には、例えば、バーコードや文字などの所定のマークが使用される。
【００１８】
図２は、正面に扉があるキャビネットに対応するレイアウト部品１０−１の例である。同図においては、レイアウト部品１０−１の底部には、レイアウト部品１０−１の部品識別情報を示す部品識別１１−１が付されている。また、外周の角の部分、すなわち、正面右角、正面左角、背面左角、背面右角には、それぞれに対応する配置方向識別情報（正面右角、正面左角、背面左角、背面右角）を示す配置方向識別１２−１ａ〜１２−１ｄが付されている。
【００１９】
図３は、デッサンボード２０の構成を示すブロック図である。同図において、デッサンボード２０は、レイアウト部品配置部２１、入力部２２、配置読取部２３、及び、通信部２４とからなる。
レイアウト部品配置部２１は、デッサンボード２０の上部に設置された、例えば、ガラス板などであり、レイアウト部品１０が配置される。
入力部２２は、キーやボタン、マウス、タッチパネルなどによる入力を行う。また、声などによる音声入力であってもよい。
配置読取部２３は、レイアウト部品配置部２１上にレイアウトされたレイアウト部品１０の底部に付された部品識別１１及び配置方向識別１２を光学的な方法により読み取る。そして、読み取った部品識別１１が示す部品識別情報、配置方向識別１２が示す配置方向識別情報、ならびに、配置方向識別１２を読み取った位置情報からなるレイアウト情報を画像データ生成装置３０へ送信する。
通信部２４は、ＳＣＳＩ（Small Computer System Interface）ケーブルやＵＳＢ（Universal Serial Bus）ケーブルなどのケーブル、あるいは、ＬＡＮ（Local Area Network）やインターネットなどのネットワークを介して、画像データ生成装置３０とのデータの送受信を行う。
【００２０】
画像データ生成装置３０は、例えば、パーソナルコンピュータで構成することができ、通信部３１、レイアウト部品データベース（以下、「ＤＢ」）３２、レイアウト部品データ読出部３３、レイアウト画像データ生成部３４、レイアウト画像ＤＢ３５、及び、出力部３６からなる。
通信部３１は、ＳＣＳＩケーブルやＵＳＢケーブルなどのケーブル、あるいは、ＬＡＮやインターネットなどのネットワークを介して、デッサンボード２０とのデータの送受信を行う。
レイアウト部品ＤＢ３２は、部品識別情報毎のレイアウト部品データを記憶している。レイアウト部品データは、それぞれが対応する物品を示す画像データ（マテリアル）と、この画像データを、ＣＡＤなどの既存の図面作成ソフトウェアにおいて使用されるレイアウト画像データ内に配置するための方向を示す情報、例えば、正面、多角形における角、円の中心などの情報からなる。例えば、図２に示すレイアウト部品１０−１が示すキャビネットに対応する画像データであれば、方向を示す情報として、この画像データにおける正面右角、正面左角、背面左角、及び、背面右角に対応するピクセル位置の情報などが用いられる。
レイアウト部品データ読出部３３は、デッサンボード２０から受信したレイアウト情報内の部品識別情報に対応したレイアウト部品データをレイアウト部品ＤＢ３２から読み出し、レイアウト画像データ生成部３４へ受け渡す。
レイアウト画像データ生成部３４は、デッサンボード２０から受信したレイアウト情報と、レイアウト部品データ読出部３３から受信したレイアウト部品データとを基に、レイアウト画像データを生成し、レイアウト画像ＤＢ３５へ書き込む。
レイアウト画像ＤＢ３５は、レイアウト画像データを記憶する。
出力部３６は、ＣＲＴ（cathode ray tube）やＬＣＤ（Liquid Crystal Display：液晶ディスプレイ）などのディスプレイである。
【００２１】
具体的なレイアウト情報の一例を図５に示す。
図においては、レイアウト部品配置部２１上に配置された各レイアウト部品１０の部品識別情報毎に、このレイアウト部品１０に付された配置方向識別１２が示す各配置方向識別情報と当該配置方向識別情報が読み込まれた位置情報とが示されている。ここでは、位置情報を、レイアウト部品配置部２１の左上部角を基点（０ｍｍ，０ｍｍ）としたときの下方向、及び、右方向の距離により示している。
【００２２】
次に図６及び図７を用いて同実施の形態による動作を説明する。
図６は、デッサンボード２０の動作フローを示す。
ここでは、建築物の間取りについて営業担当者と顧客が打ち合わせを行っていることを想定する。営業担当者と顧客は、デッサンボード２０のレイアウト部品配置部２１上に任意のレイアウト部品１０を配置し、実際の間取りをイメージしながら希望する建築物の間取りについて検討する。そして、間取りが決定すると、営業担当者は、ボタンを押すなど、デッサンボード２０に対してレイアウト画像データの生成のための操作を行う。
【００２３】
デッサンボード２０の入力部２２は、レイアウト画像データの生成のための操作がなされたことを認識すると、配置読取部２３へ通知する（ステップＳ１１０）。配置読取部２３は、レイアウト部品配置部２１上に配置されたレイアウト部品１０の部品識別１１及び配置方向識別１２から部品識別情報及び配置方向識別情報を読み込むとともに、レイアウト部品配置部２１上において、配置方向識別１２を読み込んだ位置情報を取得する（ステップＳ１２０）。そして、読み込んだ部品識別情報及び配置方向識別情報と、配置方向識別１１（配置方向識別情報）を読み込んだ位置情報とからなるレイアウト情報を、画像データ生成装置３０へ送信する（ステップＳ１３０）。
【００２４】
図７は、画像データ生成装置３０の動作フローを示す。
画像データ生成装置３０のレイアウト部品データ読出部３３は、通信部３１を介してデッサンボード２０からレイアウト情報を受信する（ステップＳ２１０）。レイアウト部品データ読出部３３は、レイアウト情報内の部品識別情報に対応する各レイアウト部品データをレイアウト部品ＤＢ３２から読出し、レイアウト画像データ生成部３４へ受け渡す（ステップＳ２２０）。
【００２５】
レイアウト画像データ生成部３４は、レイアウト情報内の部品識別情報に対応したレイアウト部品データ内の画像データを、この部品識別情報に対応した位置情報に基づき配置したレイアウト画像データを生成する（ステップＳ２３０）。
具体的なレイアウト画像データ生成の例を説明する。例えば、図５に示すレイアウト情報を受信した場合、まず、レイアウト部品１０−１の各配置方向識別情報に対応した位置情報を１ｍｍ＝５ピクセルなどの所定の換算率に応じてレイアウト画像データ中のピクセル位置に換算する。そして、レイアウト部品１０−１に相当するレイアウト部品データ内の画像データを、正面右角、正面左角、背面左角、及び、背面右角に相当する４つの頂点が、それぞれ、各配置方向識別１２−１ａ、１２−１ｂ、１２−１ｃ、１２−１ｄの位置情報から換算したピクセル位置に一致するようにレイアウト画像データへ配置する。続いて、レイアウト情報内のレイアウト部品１０−５、以下他のレイアウト部品１０についても同様に、このレイアウト部品１０に相当するレイアウト部品データ内の画像データを、配置方向識別情報に対応する位置情報から換算したピクセル位置に、向きが一致するように配置し、レイアウト画像データを生成する。
【００２６】
レイアウト画像データ生成部３４は、生成したレイアウト画像データを、レイアウト画像ＤＢ３５へ書き込む（ステップＳ２４０）。さらに、出力部３６は、レイアウト画像データ生成部３４が生成したレイアウト画像データを、ディスプレイに出力する（ステップＳ２５０）。
このレイアウト画像データは、ＣＡＤなどの既存の図面作成を行うソフトウェアなどにより読み込まれ、加工される。
【００２７】
なお、レイアウト部品１０に付される部品識別１１及び配置方向識別１２には、ＩＣチップなどが使用されうる。ＩＣチップは、ＣＰＵ（central processing unit）、ＲＯＭ（Read Only Memory）、ＲＡＭ（Random Access Memory）、及び、後述するデッサンボード２０の配置読取部２３とデータの送受信を行う通信部からなる。あるいは、レイアウト部品１０自体を、磁気情報を記憶可能な電子ブロックなどにより構成してもよい。これらの場合、デッサンボード２０のレイアウト部品配置部２１には磁気ボードが使用され、配置読取部２３は、電磁的な方法により部品識別１１及び配置方向識別１２の読み取りを行う。
【００２８】
また、上記実施形態においては、レイアウト部品１０の全ての角に配置方向識別１２を付しているが、例えば、形状が丸であれば中心と外周の正面位置に、多角形であれば所定の２箇所の角に配置方向識別１２を付すなど、画像データ生成装置３０において、レイアウト部品１０の位置及び向きが特定可能な箇所及び数だけ付与すればよい。
また、画像データは、円、点、直線、多角形、弧、曲線などの基本的な図形の組み合わせからなり、これらの基本的な図形の線の色、太さ、種類（実線、波線など）等の情報が付加されたものであってもよい。
また、デッサンボード２０と画像データ生成装置３０の機能は、同一の装置において実現されうる。
また、画像データ生成装置３０のレイアウト画像データ生成部３４は、部屋に対応する２つのレイアウト部品１０間に他のレイアウト部品１０が存在しない場合、廊下の画像データや収納スペースの画像データをレイアウト画像データへ配置するなど、自動的に所定の画像データを配置するようにしてもよい。
【００２９】
なお、上述のデッサンボード２０及び画像データ生成装置３０は、内部にコンピュータシステムを有している。そして、上述した動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００３０】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
また、このデッサンボード２０及び画像データ生成装置３０は専用のハードウェアにより実現されるものであってもよい。
【図面の簡単な説明】
【００３２】
【図１】この発明の一実施の形態によるマテリアル自動配置システムの構成図である。
【図２】同実施の形態によるレイアウト部品の概観図である。
【図３】同実施の形態によるデッサンボードのブロック図である。
【図４】同実施の形態による画像データ生成装置のブロック図である。
【図５】同実施の形態によるレイアウト情報の設定例を示す図である。
【図６】同実施の形態によるデッサンボードの動作フローである。
【図７】同実施の形態による画像データ生成装置の動作フローである。
【符号の説明】
【００３３】
１０−１〜１０−ｎ・・・レイアウト部品
１１−１・・・部品識別
１２−１ａ〜１ｄ・・・配置方向識別
２０・・・デッサンボード
２１・・・レイアウト部品配置部
２２・・・入力部
２３・・・配置読取部
２４・・・通信部
３０・・・画像データ生成装置
３１・・・通信部
３２・・・レイアウト部品ＤＢ（データベース）
３３・・・レイアウト部品データ読出部
３４・・・レイアウト画像データ生成部
３５・・・レイアウト画像ＤＢ（データベース）
３６・・・出力部
【図１】
2005275895.tif 000003
【図２】
2005275895.tif 000004
【図３】
2005275895.tif 000005
【図４】
2005275895.tif 000006
【図５】
2005275895.tif 000007
【図６】
2005275895.tif 000008
【図７】
2005275895.tif 000009